(57)【特許請求の範囲】
【請求項１】
軟質シートからなる開閉可能な通路体の両面を、押えバネ板で挟み付けるとともに、この押えバネ板を所定の曲率で屈曲させた状態で保持手段によって保持することにより密着させ、常態では通路体が閉じており、押えバネ板間の通路体内に棒状体を挿入した時には内側の押えバネ板が変形して通路体が開き、棒状体を引き抜いたときには内側の押えバネ板が復元力により外側の押えバネ板に密着して、通路体が閉じられるようにしたことを特徴とする容器開口部の押えバネ板付き開閉機構。
【請求項２】
押えバネ板が長尺のものを折り返して通路体の両面を挟み付けるものである請求項１に記載の容器開口部の押えバネ板付き開閉機構。
【請求項３】
保持手段が通路体の両面を挟み付けるように２枚に折り返した押えバネ板を、さらに短く折り返して対向する端部に連結し、押えバネ板を所定の曲率で屈曲させた状態で保持するようにした請求項１または２に記載の容器開口部の押えバネ板付き開閉機構。
【請求項４】
保持手段が通路体の両面を挟み付ける押えバネ板の両端を牽引し、押えバネ板を所定の曲率で屈曲させた状態で保持するものである請求項１ないし３のいずれかに記載の容器開口部の押えバネ板付き開閉機構。
【請求項５】
押えバネ板が、プラスチック薄板、金属板、あるいはこれらを構成材料とする複合板から選ばれてなる請求項１ないし４のいずれかに記載の容器開口部の押えバネ板付き開閉機構。
【請求項６】
軟質シートからなる開閉可能な通路体が、２枚の軟質シートを通路の境界部分で貼付したものからなる請求項１ないし５のいずれかに記載の容器開口部の押えバネ板付き開閉機構。
【請求項７】
軟質シートが、ゴムシート、プラスチックシート、耐水紙、防水布、アルミ箔あるいはこれらの複合シートから選ばれてなる請求項１ないし６のいずれかに記載の容器開口部の押えバネ板付き開閉機構。
【発明の詳細な説明】
【０００１】
【発明の属する技術分野】
この発明は瓶やＰＥＴボトル、缶、紙パック等の種々の容器に適用される容器開口部の押えバネ板付き開閉機構に関するものである。
【０００２】
【従来の技術】
従来、瓶やＰＥＴボトル、缶、紙パック等の容器の開口部は、容器と異なる材質のキャップを取り付けたり、プルトップ式の開口部を形成したり、ストローを差し込めるようにした蒸着フィルム等からなる封緘シールを貼付することによって密封されている。
【０００３】
【発明が解決しようとする課題】
しかしながら、瓶やＰＥＴボトルのように容器と異なる材質のキャップを取り付けたものにおいては、キャップの容器開口部への取り付け、取り外しに手間がかかり、散逸しやすいことはもちろん、使用後の廃棄処理に際して容器と異なる材質のキャップの処分に困るという欠点があった。
【０００４】
またスチール缶やアルミ缶のように、プルトップ式の開口部を形成したものにおいては、散逸しやすい上に、一旦開口すると閉じることができないため、こぼれやすいので運びにくく、保管しておいて何回にも分けて飲食することが難しいという欠点があった。
【０００５】
さらに、紙パック等の容器の開口部に蒸着フィルム等からなる封緘シールを貼付することによって、封緘シールにストローを差し込めるようにしたものにおいては、うかつに紙パックを掴むと内容物がストローを差し込んだ開口部から噴き出してきてしまって外にこぼれたり、使用後の廃棄処理に際して容器と異なる材質の封緘シールの処分に困るという欠点があった。
【０００６】
この発明の容器開口部の押えバネ板付き開閉機構は従来例の上記欠点を解消しようとするものであり、使用後の廃棄処理に際して容器と一緒にそのまま焼却等の廃棄処分をすることができ、使用後は自動的に開口部が閉じるために容器を掴んだり運んだりしてもこぼれることがないので、保管しておいて何回にも分けて飲食することが可能な容器開口部の押えバネ板付き開閉機構を提供しようとするものである。
【０００７】
【課題を解決するための手段】
すなわちこの発明の容器開口部の押えバネ板付き開閉機構は、軟質シートからなる開閉可能な通路体の両面を、押えバネ板で挟み付けるとともに、この押えバネ板を所定の曲率で屈曲させた状態で保持手段によって保持することにより密着させ、常態では通路体が閉じており、押えバネ板間の通路体内に棒状体を挿入した時には内側の押えバネ板が変形して通路体が開き、棒状体を引き抜いたときには内側の押えバネ板が復元力により外側の押えバネ板に密着して、通路体が閉じられるようにしたことを特徴とするものである。
【０００８】
上記容器開口部の押えバネ板付き開閉機構において、押えバネ板が長尺のものを折り返して通路体の両面を挟み付けるものであることも特徴としている。
【０００９】
上記容器開口部の押えバネ板付き開閉機構において、保持手段が通路体の両面を挟み付けるように２枚に折り返した押えバネ板を、さらに短く折り返して対向する端部に連結し、押えバネ板を所定の曲率で屈曲させた状態で保持するようにしたことも特徴としている。
【００１０】
上記容器開口部の押えバネ板付き開閉機構において、保持手段が通路体の両面を挟み付ける押えバネ板の両端を牽引し、押えバネ板を所定の曲率で屈曲させた状態で保持するものであることも特徴としている。
【００１１】
上記容器開口部の押えバネ板付き開閉機構において、押えバネ板が、プラスチック薄板、金属板、あるいはこれらを構成材料とする複合板から選ばれてなることも特徴としている。
【００１２】
上記容器開口部の押えバネ板付き開閉機構において、軟質シートからなる開閉可能な通路体が、２枚の軟質シートを通路の境界部分で貼付したものからなることも特徴としている。
【００１３】
上記容器開口部の押えバネ板付き開閉機構において、軟質シートが、ゴムシート、プラスチックシート、耐水紙、防水布、アルミ箔あるいはこれらの複合シートから選ばれていることも特徴としている。
【００１４】
この発明の容器開口部の押えバネ板付き開閉機構によれば、使用後の廃棄処理に際して容器と一緒にそのまま焼却等の廃棄処分をすることができ、使用後は自動的に開口部が閉じるために容器を掴んだり運んだりしてもこぼれることがないので、保管しておいて何回にも分けて飲食することができる容器開口部の押えバネ板付き開閉機構を提供することが可能となった。
【００１５】
【発明の実施の形態】
以下、図面に基づき、この発明の容器開口部の押えバネ板付き開閉機構の実施の形態について説明する。
【００１６】
図１は、この発明の容器開口部の押えバネ板付き開閉機構（以下開閉機構と称する）を容器に適用した例を示す概略図である。図中（イ）はポリ袋類の例を示し、（イ−１）はシート状のポリ袋１０１にこの発明の開閉機構１１１を適用した場合、（イ−２）は円形の底１０３を設けたポリ袋１０２にこの発明の開閉機構１１１を適用した場合を示すものである。
【００１７】
（ロ）は紙パック類の例を示し、（ロ−１）は果汁飲料等の小さめの紙パック１０４にこの発明の開閉機構１１１を適用した場合、（ロ−２）は牛乳等の大きめの紙パック１０５にこの発明の開閉機構１１１を適用した場合を示すものである。
【００１８】
（ハ）は瓶類やＰＥＴボトル類の例を示し、（ハ−１）は清涼飲料等のための小型の瓶１０６にこの発明の開閉機構１１１を適用した場合、（ハ−２）は大型のＰＥＴボトル１０７にこの発明の開閉機構１１１を適用した場合を示すものである。
【００１９】
（ニ）は紙コップ類の例を示し、蓋１０９を備えた紙コップ１０８の蓋１０９の部分にこの発明の開閉機構１１１を適用した場合を示すものである。
【００２０】
以下、上記開閉機構１１１の詳細について説明する。
【００２１】
図２は開閉機構１１１を構成している、軟質シートからなる開閉可能な通路体を示すものである。この通路体１は２枚の軟質シートを貼り合わせて作成することができ、通路部分２は筒状に開口することが可能である。また通路部分２の両側には、下記押えバネ板間に挟み込んで通路体１を保持するずれ止め片３が形成されている。４はずれ止め片３の位置から突出している通路体１のガイド部である。
【００２２】
上記通路体１としては、使用する軟質シートを、ゴムシート、プラスチックシート、耐水紙、防水布、アルミ箔あるいはこれらの複合シートから選ぶことが望ましい。
【００２３】
図２において（イ）は通路体１の通路部分２が閉じている場合を示し、（ロ）は通路体１の通路部分２が開いていて、容器の内容物が通過している状態を示している。
【００２４】
図３は通路体１の通路部分２を、２枚の軟質シートを貼り合わせて加熱溶着する場合を示すものである。図において（イ）はガイド部４の反対側に向かってつぼまっているテーパ状の通路部分２を示す。（ロ）はガイド部４の反対側に向かってつぼまり、さらにその先は筒状になっている通路部分２を示す。（ハ）はガイド部４の反対側に向かって所定の広さの部分があってからつぼまり、さらにその先は筒状になっている通路部分２を示す。（ニ）はガイド部４と同じ径の筒状に形成された通路部分２を示す。
【００２５】
上記通路体１の通路部分２の幅は、挿入する棒状体の径に応じて挿入が無理なく行なえ、しかも挿入した棒状体の周囲に通気可能な余裕を持つ程度のサイズが望ましい。こうすることによって容器に内容物を充填する際に、棒状体部分から内容物を充填しながら、その周囲から容器内の空気を放出させて充填作業を無理なく行なわせることができる。
【００２６】
上記通路体１に通路部分２を形成する手段としては、２枚の軟質シートを貼り合わせてずれ止め片３部分で加熱溶着する手段が望ましいが、他の形成手段でも良いことはもちろんである。ずれ止め片３の溶着に際しては、通路部分２との境界のみ溶着すれば十分である。
【００２７】
図４は上記通路体１を挟み込んで開閉、特に自動的に密閉させるための押えバネ板の例を示すものである。一対の押えバネ板５，６は（イ）のように通路体１をサンドイッチ状に挟み付けている。（イ）は全体形状が矩形の場合、（ロ）は全体形状が台形の場合、（ハ）はそのＢ−Ｂ断面図をそれぞれ示している。
【００２８】
なお一対の押えバネ板５，６はそれぞれ同じ肉厚であっても、また肉厚を異ならせておいてもよい。通路体１との関係でいえば、通路体１は柔軟性を要するため薄手のものを使用し、押えバネ板５，６はその機能上、所定の肉厚であることを必要とする。もちろん、内側の押えバネ板６は通路体１よりも厚いものであることが望ましい。
【００２９】
上記一対の押えバネ板５，６の材質としては、プラスチック薄板、金属板、あるいはこれらを構成材料とする複合板から選ぶことができる。プラスチック薄板の例としては、ポリエチレン、ポリプロピレン、ポリエステル、ポリカーボネート等が挙げられる。この場合、通路体１を同じ材質とすることが望ましい。
【００３０】
上記押えバネ板５，６の厚さとしては、上記ポリエチレン等のプラスチック薄板を使用した場合、約０．１〜０．５ｍｍのものを使用することが望ましい。また押えバネ板５，６の寸法は矩形の場合を例に取れば、横軸：縦軸比率で約２〜１．５：１が望ましい。例えば、横軸：縦軸の実寸で４０ｍｍ：２５ｍｍ、３５ｍｍ：２０ｍｍ、３０ｍｍ：１５ｍｍ等の寸法とすることができる。
【００３１】
上記押えバネ板５，６を湾曲させた場合の曲率半径は、１５ｍｍ〜３０ｍｍが望ましい。小さい曲率では押えバネ板５，６の通路体１を挟む力が強い上、棒状体７の挿抜に対する反応がよい。逆に，曲率半径を大きくしていって押えバネ板５，６の通路体１を挟む力や棒状体７を挿抜する際の力加減を調整することができる。
【００３２】
また図５（イ）のように、一対の押えバネ板５，６は長尺のものを折り返して通路体１の両面を挟み付けるようにしたものであってもよい。（イ）は全体形状が矩形の場合、（ロ）は全体形状が台形の場合、（ハ）は開いた状態を上面から見た場合、（ニ）は側面から見た場合をそれぞれ示している。
【００３３】
すなわちこの開閉機構は、図４および図５に示すように通路体１を押えバネ板５，６で挟み込んだ構造となっており、常態においては、押えバネ板５，６によって通路部分２を閉鎖するようになっている。
【００３４】
素材的には通路体１および押えバネ板５，６の何れも単一素材を使用することが望ましい。例えば、日常家庭等で使用されるポリエチレン製の袋と同様の素材が、素材としての汎用性、加工性、ゴミ化した後の処理性等において、この発明の上記課題の解決にきわめて好適であることを確認している。
【００３５】
図６に、通路体１を押えバネ板５，６で挟み込んでこの発明の開閉機構１１１を構成した状態を示す。すなわち、（イ）のように通路体１の両側を押えバネ板５，６で挟み付け、（ロ）のように組み付けるのである。組み付けた状態では図（ロ）のように通路体１は扁平に保持されている。図（ハ）は、一対の押えバネ板５，６を長尺のものを折り返して通路体１の両面を挟み付けるようにした場合を示している。
【００３６】
図７は押えバネ板を所定の曲率で屈曲させた状態で保持する保持手段を示すものである。その手段としては、（イ）のように裏当て板７を通路体１を挟み付けた押えバネ板５，６の片側に沿って重ね合わせ、その両端に上下に伸びる棒状アーム８を形成した上、押えバネ板５，６の反対側の面で、牽引手段９を上記棒状アーム８にその両端を取り付けて牽引することが挙げられる。
【００３７】
また、（ロ）のように押えバネ板５，６の内側の押えバネ板６側において、押えバネ板５，６より短い牽引シート１０を配置し、牽引シート１０の両端を折り返して形成された折り返し部１１を押えバネ板５，６の両端にはめ込んで保持してもよい。
【００３８】
さらに（ハ）のように押えバネ板５，６に筒状の牽引ベルト１２をはめ込み、折り畳んだ状態の牽引ベルト１２を押えバネ板５，６の幅よりも短くしておいて、はめ込んだときに押えバネ板５，６が一方の側に湾曲して保持されるようにしてもよい。
【００３９】
図８は、保持手段のさらに別の例を示すものである。（イ）ないし（ハ）はその組み付け過程を示すもので、（イ）のように通路体１の両側に、一端にやや短い牽引シート部１３を形成した外側の押えバネ板５と、内側の押えバネ板６とを配置して重ね合わせ、通路体１を挟み付ける。ついで（ハ）のように、押えバネ板５，６の対向する端部に牽引シート部１３の折り返し部１４をはめ込んで保持する。また、（ロ）のように一対の押えバネ板５，６として長尺のものを折り返して通路体１を挟み付け、外側の押えバネ板５の他端にやや短い牽引シート部１３を形成して重ね合わせ、その先端の折り返し部１４を押えバネ板５，６の反対側にはめ込んで保持してもよい。
【００４０】
得た開閉機構１１１は、（ニ）および（ホ）のように通路体１が押えバネ板５，６の湾曲に連れて湾曲した状態で円弧状に保持され、さらに牽引シート部１３がその弦の位置にあって円弧状に保持している状態を示すものである。このようにしておけば、押えバネ板５，６の形状を保持する力が弱くても確実にその湾曲を保たせることができ、通路体１を強固に圧着することができる。
【００４１】
そして、上記のように構成したこの発明の容器開口部の開閉機構の作用について説明する。
【００４２】
図９および図１０は、通路体１にストローその他の棒状体１５を挿入した状態を示している。この開閉機構１１１は、通路体１の通路部分２の内部に棒状体１５を挿入することにより、押えバネ板５，６により密着していた通路部分２の密着を解いて、通路を確保せしめるものである。この実施例においてはこのような棒状体１５としてストローを使用してより確実な通路を確保しようとしている。
【００４３】
上記作用をより詳細に説明する図１１において、ストローからなる棒状体１５の先端を通路体１のガイド部４の上端から挿入する。実際には、この部分にキャップや取り付け口を付けることにより、棒状体１５を挿入しやすい形状としておく。そして、図（イ）から（ハ）のように徐々に棒状体１５を押し下げて行くと、通路体１の通路部分２は内側の押えバネ板６ごと押し広げられていく。
【００４４】
そして棒状体１５をさらに押し下げると、内側の押えバネ板６が棒状体１５に沿って全長にわたって押し広げられ、図（ニ）のように容器の内容物が自由に流通することができるようになる。
【００４５】
逆に、容器開口部を閉じようとする場合には単に棒状体１５を引き抜けばよい。すなわち、押えバネ板６が徐々に元の位置に復帰して押えバネ板５に密着し、通路体１の通路部分２は図（ニ）から（イ）を逆にたどって、再び全長が自動的に密着することとなる。このとき、容器開口部に設けた開閉機構１１１に容器内から内容物を押し出そうとする圧力が加わると、押えバネ板５，６を介して通路体１に圧力が伝達され、通路体１の通路部分２はより一層密閉される。
【００４６】
【発明の効果】
この発明の容器開口部の押えバネ板付き開閉機構によれば、使用後の廃棄処理に際して容器と一緒にそのまま焼却等の廃棄処分をすることができる。
【００４７】
また、使用後は自動的に容器開口部が閉じるために容器を掴んだり運んだりしてもこぼれることがないので、保管しておいて何回にも分けて飲食することが可能となった。
【００４８】
また、上記開閉機構を含めた容器全体を単一の素材で構成した場合には、製造工程が単純化し、なおかつゴミ化後の処理が単純化されるのでリサイクル性の高い容器を提供することができる。
【図面の簡単な説明】
【図１】この発明の容器開口部の押えバネ板付き開閉機構を容器に適用した例を示す概略図で、（イ）はポリ袋類の例を示し、（ロ）は紙パック類の例を示し、（ハ）は瓶類やＰＥＴボトル類の例を示し、（ニ）は紙コップ類の例を示すものである。
【図２】この発明の容器開口部の開閉機構を構成している、軟質シートからなる開閉可能な通路体を示し、（イ）は通路体の通路部分が閉じている場合、（ロ）は通路体の通路部分が開いていて、容器の内容物が通過している状態を示す、それぞれ斜視図およびＡ−Ａ断面図である。
【図３】（イ）〜（ニ）は、通路体を２枚の軟質シートを貼り合わせて加熱溶着する場合を示す概略斜視図である。
【図４】（イ）、（ロ）は押えバネ板の例を示す斜視図、（ハ）はそのＢ−Ｂ断面図である。
【図５】（イ）、（ロ）は押えバネ板の別の例を示す斜視図、（ハ）は開いた状態の上面図、（ニ）は閉じた状態の上面図である。
【図６】この発明の開閉機構の組付状態を示し、（イ）は組み付け前、（ロ）は組み付け状態、（ハ）は他の組み付け例を示すそれぞれ斜視図である。
【図７】（イ）〜（ハ）はこの発明の開閉機構において、内側の押えバネ板を外側の押えバネ板に沿わせるための手段を示す斜視図およびＣ−Ｃ断面図である。
【図８】（イ）〜（ホ）はこの発明の開閉機構において、内側の押えバネ板を外側の押えバネ板に沿わせるための別の手段を示す斜視図およびＤ−Ｄ断面図である。
【図９】通路体に棒状体を挿入した状態を示す斜視図である。
【図１０】通路体に棒状体を挿入した状態を示す図９のＥ−Ｅ拡大断面図である。
【図１１】（イ）〜（ニ）は通路体に棒状体を挿入した状態を段階的に示す断面図である。
【符号の説明】
１  通路体
２  通路部分
３  ずれ止め片
４  ガイド部
５，６  押えバネ板
７  裏当て板
８  棒状アーム
９  牽引手段
１０  牽引シート
１１  折り返し部
１２  牽引ベルト
１３  牽引シート部
１４  折り返し部
１５  棒状体
１０１  ポリ袋
１０２  ポリ袋
１０３  底
１０４  紙パック
１０５  紙パック
１１１  開閉機構
１０６  瓶
１０７  ＰＥＴボトル
１０８  紙コップ
１０９  蓋
１１１  開閉機構
【図１】
0003697619.tif 000002
【図２】
0003697619.tif 000003
【図３】
0003697619.tif 000004
【図４】
0003697619.tif 000005
【図５】
0003697619.tif 000006
【図６】
0003697619.tif 000007
【図７】
0003697619.tif 000008
【図８】
0003697619.tif 000009
【図９】
0003697619.tif 000010
【図１０】
0003697619.tif 000011
【図１１】
0003697619.tif 000012